(57)【要約】【課題】良好な画像を得ることが可能な画像形成装置を提供する。【解決手段】画像形成装置は、補助層を形成する第１の画像形成部と、画像層を形成する第２の画像形成部と、制御部とを備えている。第１および第２の画像形成部はそれぞれ、潜像を表面に担持する像担持体へ供給する現像剤を表面に担持する現像剤担持体を有している。制御部は、第１の画像形成部における現像剤担持体の表面の移動速度である第１の速度と、第２の画像形成部における現像剤担持体の表面の移動速度である第２の速度とが、互いに異なることとなるように第１および第２の画像形成部を制御する。【選択図】図２
2015210305.tif 000002
【特許請求の範囲】
【請求項１】
補助層を形成する第１の画像形成部と、
画像層を形成する第２の画像形成部と、
制御部と
を備え、
前記第１および第２の画像形成部はそれぞれ、潜像を表面に担持する像担持体へ供給する現像剤を表面に担持する現像剤担持体を有し、
前記制御部は、
前記第１の画像形成部における前記現像剤担持体の前記表面の移動速度である第１の速度と、前記第２の画像形成部における前記現像剤担持体の前記表面の移動速度である第２の速度とが、互いに異なることとなるように前記第１および第２の画像形成部を制御する
画像形成装置。
【請求項２】
前記制御部は、前記第１の速度が前記第２の速度よりも大きくなるように、前記第１および第２の画像形成部を制御する
請求項１に記載の画像形成装置。
【請求項３】
補助層を形成する第１の画像形成部と、
画像層を形成する第２の画像形成部と、
制御部と
を備え、
前記第１および第２の画像形成部はそれぞれ、
潜像を表面に担持する像担持体と、
前記潜像を現像する現像剤を表面に担持する現像剤担持体と
を有し、
前記制御部は、
前記第１の画像形成部における前記像担持体の前記表面の移動速度に対する前記現像剤担持体の前記表面の移動速度の比である第１の速度比と、前記第２の画像形成部における前記像担持体の前記表面の移動速度に対する前記現像剤担持体の前記表面の移動速度の比である第２の速度比とが、互いに異なることとなるように前記第１および第２の画像形成部を制御する
画像形成装置。
【請求項４】
前記制御部は、前記第１の速度比が前記第２の速度比よりも大きくなるように、前記第１および第２の画像形成部を制御する
請求項３に記載の画像形成装置。
【請求項５】
前記第１および第２の画像形成部はそれぞれ、
前記現像剤担持体の前記表面に当接してその表面に前記現像剤の層を形成させる現像剤規制部材と、
前記現像剤規制部材に対して電圧を印加する第１の電源部と
を更に有し、
前記制御部は、
前記第１の画像形成部における前記現像剤規制部材への印加電圧の絶対値である第１の電圧値と、前記第２の画像形成部における前記現像剤規制部材への印加電圧の絶対値である第２の電圧値とが、互いに異なることとなるように前記第１の電源部を制御する
請求項１ないし請求項４のいずれか１項に記載の画像形成装置。
【請求項６】
前記制御部は、前記第１の電圧値が前記第２の電圧値よりも小さくなるように、前記第１の電源部を制御する
請求項５に記載の画像形成装置。
【請求項７】
前記第１および第２の画像形成部はそれぞれ、前記現像剤担持体に対して電圧を印加する第２の電源部を更に有し、
前記制御部は、
前記第１の画像形成部における前記現像剤担持体への印加電圧の絶対値が、前記第２の画像形成部における前記現像剤担持体への印加電圧の絶対値よりも小さくなるように、前記第２の電源部を制御する
請求項１ないし請求項６のいずれか１項に記載の画像形成装置。
【請求項８】
前記補助層が単色層である
請求項１ないし請求項７のいずれか１項に記載の画像形成装置。
【請求項９】
前記単色層が白色層である
請求項８に記載の画像形成装置。
【請求項１０】
前記補助層が、前記画像層に対する下地層またはオーバーコート層である
請求項１ないし請求項９のいずれか１項に記載の画像形成装置。
【請求項１１】
前記第１の画像形成部は、前記現像剤としての白色現像剤を用いて、前記補助層を形成し、
前記第２の画像形成部は、前記現像剤として、白色以外の他の色の単色現像剤を用いて、前記画像層を形成する
請求項１ないし請求項１０のいずれか１項に記載の画像形成装置。
【請求項１２】
補助層を形成する第１の画像形成部と、
画像層を形成する第２の画像形成部と、
制御部と
を備え、
前記第１および第２の画像形成部はそれぞれ、
潜像を表面に担持する像担持体へ供給する現像剤を表面に担持する現像剤担持体と、
前記現像剤担持体の前記表面に当接してその表面に前記現像剤の層を形成させる現像剤規制部材と、
前記現像剤規制部材に対して電圧を印加する電源部と
を有し、
前記制御部は、
前記第１の画像形成部における前記現像剤規制部材への印加電圧の絶対値である第１の電圧値と、前記第２の画像形成部における前記現像剤規制部材への印加電圧の絶対値である第２の電圧値とが、互いに異なることとなるように前記電源部を制御する
画像形成装置。
【請求項１３】
前記制御部は、前記第１の電圧値が前記第２の電圧値よりも小さくなるように、前記電源部を制御する
請求項１２に記載の画像形成装置。
【請求項１４】
潜像を表面に担持する像担持体へ供給する白色現像剤を表面に担持する現像剤担持体を有する画像形成部と、
前記現像剤担持体の前記表面の移動速度が３１０［ｍｍ／ｓ］以上かつ３８０［ｍｍ／ｓ］以下の範囲内となるように、前記画像形成部を制御する制御部と
を備えた画像形成装置。
【請求項１５】
潜像を表面に担持する像担持体と、前記潜像を現像する白色現像剤を表面に担持する現像剤担持体とを有する画像形成部と、
前記像担持体の前記表面の移動速度に対する前記現像剤担持体の前記表面の移動速度の比が、１．３５以上かつ１．６５以下の範囲内となるように、前記画像形成部を制御する制御部と
を備えた画像形成装置。
【発明の詳細な説明】
【技術分野】
【０００１】
本発明は、電子写真方式を用いて画像を形成する画像形成装置に関する。
【背景技術】
【０００２】
電子写真方式を用いた画像形成装置において、カラートナーに加えて白色トナーを用いるようにしたものが提案されている（例えば、特許文献１参照）。白色トナーを用いて画像層（カラートナー像）に対する下地層等（白色トナー像）を形成することで、例えば色味を有したり透明素材からなる記録媒体（転写材）の地色の影響を低減し、発色性を向上させることが可能となる。
【先行技術文献】
【特許文献】
【０００３】
【特許文献１】特開２０１３−６８８１１号公報
【発明の概要】
【発明が解決しようとする課題】
【０００４】
ところで、このような画像形成装置では一般に、良好な画像を得る（画質を向上させる）ことが望まれる。
【０００５】
本発明はかかる問題点に鑑みてなされたもので、その目的は、良好な画像を得ることが可能な画像形成装置を提供することにある。
【課題を解決するための手段】
【０００６】
本発明の第１の画像形成装置は、補助層を形成する第１の画像形成部と、画像層を形成する第２の画像形成部と、制御部とを備えたものである。第１および第２の画像形成部はそれぞれ、潜像を表面に担持する像担持体へ供給する現像剤を表面に担持する現像剤担持体を有している。制御部は、第１の画像形成部における現像剤担持体の表面の移動速度である第１の速度と、第２の画像形成部における現像剤担持体の表面の移動速度である第２の速度とが、互いに異なることとなるように第１および第２の画像形成部を制御する。
【０００７】
本発明の第２の画像形成装置は、補助層を形成する第１の画像形成部と、画像層を形成する第２の画像形成部と、制御部とを備えたものである。第１および第２の画像形成部はそれぞれ、潜像を表面に担持する像担持体と、潜像を現像する現像剤を表面に担持する現像剤担持体とを有している。制御部は、第１の画像形成部における像担持体の表面の移動速度に対する現像剤担持体の表面の移動速度の比である第１の速度比と、第２の画像形成部における像担持体の表面の移動速度に対する現像剤担持体の表面の移動速度の比である第２の速度比とが、互いに異なることとなるように第１および第２の画像形成部を制御する。
【０００８】
本発明の第３の画像形成装置は、補助層を形成する第１の画像形成部と、画像層を形成する第２の画像形成部と、制御部とを備えたものである。第１および第２の画像形成部はそれぞれ、潜像を表面に担持する像担持体へ供給する現像剤を表面に担持する現像剤担持体と、この現像剤担持体の表面に当接してその表面に現像剤の層を形成させる現像剤規制部材と、この現像剤規制部材に対して電圧を印加する電源部とを有している。制御部は、第１の画像形成部における現像剤規制部材への印加電圧の絶対値である第１の電圧値と、第２の画像形成部における現像剤規制部材への印加電圧の絶対値である第２の電圧値とが、互いに異なることとなるように電源部を制御する。
【０００９】
本発明の第４の画像形成装置は、潜像を表面に担持する像担持体へ供給する白色現像剤を表面に担持する現像剤担持体を有する画像形成部と、現像剤担持体の表面の移動速度が３１０［ｍｍ／ｓ］以上かつ３８０［ｍｍ／ｓ］以下の範囲内となるように、画像形成部を制御する制御部とを備えたものである。
【００１０】
本発明の第５の画像形成装置は、潜像を表面に担持する像担持体と、潜像を現像する白色現像剤を表面に担持する現像剤担持体とを有する画像形成部と、像担持体の表面の移動速度に対する現像剤担持体の表面の移動速度の比が、１．３５以上かつ１．６５以下の範囲内となるように、画像形成部を制御する制御部とを備えたものである。
【発明の効果】
【００１１】
本発明の第１ないし第５の画像形成装置によれば、良好な画像を得ることが可能となる。
【図面の簡単な説明】
【００１２】
【図１】本発明の一実施の形態に係る画像形成装置の概略構成例を表す模式図である。
【図２】図１に示したイメージドラムユニットを含む画像形成部等の概略構成例を表す模式図である。
【図３】図１に示した画像形成装置により形成される画像層および下地層の断面構成例を表す模式図である。
【図４】図２に示した各画像形成部における各種パラメータの制御例を表す図である。
【図５】図４に示した各種パラメータの数値例を表す図である。
【図６】現像ローラへの印加電圧と記録媒体上でのトナーの濃度との関係の一例を表す図である。
【図７】記録媒体上でのトナーの濃度差（濃度むら）について説明するための図である。
【図８】現像ローラへの印加電圧と図７に示した濃度差との関係の一例を表す図である。
【図９】現像ローラの周速度と記録媒体上でのトナーの濃度との関係の一例を表す図である。
【図１０】周速度比と記録媒体上でのトナーの濃度との関係の一例を表す図である。
【図１１】現像ローラの周速度と現像ローラ上でのトナー電位との関係の一例を表す図である。
【図１２】周速度比と現像ローラ上でのトナー電位との関係の一例を表す図である。
【図１３】現像ローラの周速度を変化させた場合における、トナー規制部材への印加電圧と現像ローラ上でのトナー電位との関係の一例を表す図である。
【図１４】周速度比を変化させた場合における、トナー規制部材への印加電圧と現像ローラ上でのトナー電位との関係の一例を表す図である。
【図１５】トナー規制部材への印加電圧とかぶりトナー量およびよごれトナー量との関係の一例を表す模式図である。
【図１６】変形例１に係る各種パラメータの制御例を表す図である。
【図１７】変形例２に係る画像形成装置の概略構成例を表す模式図である。
【図１８】図１７に示した画像形成装置により形成される画像層およびオーバーコート層の断面構成例を表す模式図である。
【発明を実施するための形態】
【００１３】
以下、本発明の実施の形態について、図面を参照して詳細に説明する。なお、説明は以下の順序で行う。
１．実施の形態（白色トナーを用いて下地層を形成する画像形成装置の例）
２．変形例
変形例１（実施の形態での各種パラメータの大小関係を逆に制御する場合の例）
変形例２（白色トナーを用いてオーバーコート層を形成する画像形成装置の例）
３．その他の変形例
【００１４】
＜１．実施の形態＞
［構成］
図１は、本発明の一実施の形態に係る画像形成装置（画像形成装置１）の概略構成例を模式的に表したものである。画像形成装置１は、例えば用紙等からなる記録媒体９（印刷媒体，転写材）に対して、電子写真方式を用いて画像（この例ではカラー画像）を形成するプリンタ（この例ではカラープリンタ）として機能するものである。
【００１５】
この画像形成装置１は、図１に示したように、５つのイメージドラムユニット（画像形成ユニット）１１Ｃ，１１Ｍ，１１Ｙ，１１Ｋ，１１Ｗと、給紙トレイ１２１と、ホッピングローラ１２２と、搬送ローラ１３ａ，１３ｂと、転写ベルトユニット１４と、定着ユニット１５と、排出ローラ１６とを備えている。なお、これらの各部材は、所定の筺体内に収容されている。
【００１６】
（イメージドラムユニット１１Ｃ，１１Ｍ，１１Ｙ，１１Ｋ，１１Ｗ）
イメージドラムユニット１１Ｃ，１１Ｍ，１１Ｙ，１１Ｋ，１１Ｗはそれぞれ、記録媒体９に対する現像装置として機能するものであり、図１に示したように、記録媒体９の搬送方向ｄに沿って並んで配置されている。具体的には、搬送方向ｄに沿って（上流側から下流側へ向かって）、イメージドラムユニット１１Ｗ，１１Ｋ，１１Ｙ，１１Ｍ，１１Ｃの順に配置されている。
【００１７】
これらのイメージドラムユニット１１Ｃ，１１Ｍ，１１Ｙ，１１Ｋ，１１Ｗは、互いに異なる色のトナーを用いてトナー像（現像剤像）を形成する点を除き、基本的には同じ構成を有している。具体的には、イメージドラムユニット１１Ｃは、シアン（Ｃ：Cyan）トナーを用いてシアン色のトナー像を形成し、イメージドラムユニット１１Ｍは、マゼンダ（Ｍ：Magenta）トナーを用いてマゼンダ色のトナー像を形成し、イメージドラムユニット１１Ｙは、イエロー（Ｙ：Yellow）トナーを用いて黄色のトナー像を形成する。同様に、イメージドラムユニット１１Ｋは、ブラック（Ｋ：blacK）トナーを用いて黒色のトナー像を形成し、イメージドラムユニット１１Ｗは、白色（Ｗ：White）トナーを用いて白色のトナー像を形成する。なお、各イメージドラムユニット１１Ｃ，１１Ｍ，１１Ｙ，１１Ｋ，１１Ｗの詳細構成例については、後述する（図２）。
【００１８】
ここで、このような各色のトナーはそれぞれ、例えば、所定の着色剤、離型剤、帯電制御剤および処理剤等を含んで構成されており、これらの各成分が適宜混合され、あるいは表面処理されることによって製造されるようになっている。これらのうち、着色剤、離型剤および帯電制御材はそれぞれ、内部添加剤として機能する。外部添加剤としては、例えばシリカや酸化チタン等が用いられ、結着樹脂としては例えばポリエステル樹脂等が用いられる。
【００１９】
シアントナー、マゼンダトナー、イエロートナーおよびブラックトナーに用いられる着色剤としては、染料や顔料等を単独、もしくは、複数種併用して使用することができる。具体的には、このような着色剤としては、例えば、カーボンブラック、酸化鉄、パーマネントブラウンＦＧ、ピグメントグリーンＢ、ピグメントブル一１５：３、ソルベントブルー３５、ソルベントレッド４９、ソルベントレッド１４６、キナクリドン、カーミン６Ｂ、ナフトール、又はジスアゾイエロー、イソインドリン等などを用いることができる。
【００２０】
一方、白色トナー用の着色剤としては、例えば、白色顔料として一般的に用いられている金属酸化物（酸化チタン、酸化亜鉛等）など、比重の大きい顔料が挙げられる。このような白色顔料は、例えば、表面処理されていてもよく、あるいは、複数種併用されていてもよい。また、この白色トナー用の着色剤では、着色力や隠蔽力を考慮して、白色顔料の含有量が多くなっている。
【００２１】
ここで、このような各色のトナーはそれぞれ、本発明における「現像剤」の一具体例に対応する。また、白色トナーは、本発明における「白色現像剤」の一具体例に対応し、シアントナー、マゼンダトナー、イエロートナーおよびブラックトナーはそれぞれ、本発明における「白色以外の他の色の単色現像剤」の一具体例に対応する。
【００２２】
給紙トレイ１２１は、記録媒体９を積層した状態で収納する部材であり、画像形成装置１内の下部に着脱自在に装着されている。
【００２３】
ホッピングローラ１２２は、給紙トレイ１２１に収納されている記録媒体９をその最上部から１枚ずつ取り出し、搬送ローラ１３ａ，１３ｂの方向へ繰り出す部材である。
【００２４】
搬送ローラ１３ａ，１３ｂは、対となってホッピングローラ１２２から繰り出された記録媒体９の斜行を矯正するとともに、その記録媒体９を転写ベルトユニット１４側へ搬送する部材である。
【００２５】
（転写ベルトユニット１４）
転写ベルトユニット１４は、搬送ローラ１３ａ，１３ｂから搬送された記録媒体９を搬送方向ｄに沿って搬送するとともに、各イメージドラムユニット１１Ｃ，１１Ｍ，１１Ｙ，１１Ｋ，１１Ｗにおいて形成されるトナー像を、この搬送方向ｄに沿って記録媒体９上に順次転写する部材である。この転写ベルトユニット１４は、図１に示したように、転写部材（転写ローラ）１４１Ｃ，１４１Ｍ，１４１Ｙ，１４１Ｋ，１４１Ｗ、転写ベルト１４２、搬送ローラ１４３ａ，１４３ｂおよび転写クリーニング部材１４４を含んで構成されている。
【００２６】
転写部材１４１Ｃ，１４１Ｍ，１４１Ｙ，１４１Ｋ，１４１Ｗはそれぞれ、上記したように、各イメージドラムユニット１１Ｃ，１１Ｍ，１１Ｙ，１１Ｋ，１１Ｗにおいて形成されるトナー像を、記録媒体９上に静電的に転写するための部材（ローラ）である。これらの転写部材１４１Ｃ，１４１Ｍ，１４１Ｙ，１４１Ｋ，１４１Ｗは、転写ベルト１４を介して、各イメージドラムユニット１１Ｃ，１１Ｍ，１１Ｙ，１１Ｋ，１１Ｗに対向配置されている。具体的には、転写部材１４１Ｃはイメージドラムユニット１１Ｃに対向配置され、転写部材１４１Ｍはイメージドラムユニット１１Ｍに対向配置され、転写部材１４１Ｙはイメージドラムユニット１１Ｙに対向配置されている。同様に、転写部材１４１Ｋはイメージドラムユニット１１Ｋに対向配置され、転写部材１４１Ｗはイメージドラムユニット１１Ｗに対向配置されている。なお、これらの転写部材１４１Ｃ，１４１Ｍ，１４１Ｙ，１４１Ｋ，１４１Ｗはそれぞれ、例えば、発泡性の半導電性弾性ゴム材により構成されている。
【００２７】
転写ベルト１４２は、搬送ローラ１３ａ，１３ｂから搬送された記録媒体９を静電吸着することにより、その記録媒体９を搬送方向ｄに沿って搬送するベルトである。
【００２８】
搬送ローラ１４３ａ，１４３ｂはそれぞれ、転写ベルト１４２を動作させるための部材である。
【００２９】
転写クリーニング部材１４４は、転写ベルト１４２上に付着したトナーを掻き取ってクリーニング（清掃）するための部材である。
【００３０】
（定着ユニット１５）
定着ユニット１５は、転写ベルトユニット１４から搬送された記録媒体９上のトナー（トナー像）に対して熱および圧力を付与して定着させるための部材である。この定着ユニット１５は、図１に示したように、ヒートローラ１５１およびバックアップローラ１５２を含んで構成されている。
【００３１】
ヒートローラ１５１は、その内部にハロゲンランプ等の加熱ヒータを含んで構成されており、記録媒体９上のトナーに対して熱を付与するための部材（加熱ローラ）である。
【００３２】
バックアップローラ１５２は、ヒートローラ１５１との間に圧接部が形成されるように配置されており、記録媒体９上のトナーに対して圧力を付与するための部材（加圧ローラ）である。
【００３３】
排出ローラ１６は、定着ユニット１５によってトナーが定着された記録媒体９を、画像形成装置１の外部へ排出するための部材である。
【００３４】
（画像形成部１０Ｃ，１０Ｍ，１０Ｙ，１０Ｋ，１０Ｗ）
図２は、図１に示したイメージドラムユニット１１Ｃ，１１Ｍ，１１Ｙ，１１Ｋ，１１Ｗを個別に含んで構成される画像形成部１０Ｃ，１０Ｍ，１０Ｙ，１０Ｋ，１０Ｗの概略構成例を、これらに対する制御部１９とともに模式的に表したものである。
【００３５】
画像形成部１０Ｃ，１０Ｍ，１０Ｙ，１０Ｋ，１０Ｗは、前述したイメージドラムユニット１１Ｃ，１１Ｍ，１１Ｙ，１１Ｋ，１１Ｗと同様に、互いに異なる色のトナーを用いて画像（トナー像）を形成する点を除き、基本的には同じ構成を有している。
【００３６】
このうち、画像形成部１０Ｃ，１０Ｍ，１０Ｙ，１０Ｋはそれぞれ、例えば図３に模式的な断面図で示したように、対応する各色のトナー（シアントナー、マゼンダトナー、イエロートナーおよびブラックトナー）を用いて、各色のトナー像からなる層である画像層２１を形成するものである。
【００３７】
一方、画像形成部１０Ｗは、本実施の形態では、例えば図３に模式的な断面図で示したように、白色トナーを用いて、画像層２１に対する下地層２０ａを形成するものである。この下地層２０ａは、記録媒体９と画像層２１との間（画像層２１の下層）に形成されており、後述するように、画像層２１を形成する際の補助機能を有する層である。また、本実施の形態では、この下地層２０ａは白色からなる単色層（白色層）となっている。すなわち、下地層２０ａは、本発明における「補助層」、「単色層」および「白色層」の一具体例に対応する。
【００３８】
ここで、画像形成部１０Ｗが、本発明における「第１の画像形成部」および「画像形成部」の一具体例に対応する。また、画像形成部１０Ｃ，１０Ｍ，１０Ｙ，１０Ｋ，１０Ｗがそれぞれ、本発明における「第２の画像形成部」の一具体例に対応する。
【００３９】
図２に示したように、画像形成部１０Ｃは、イメージドラムユニット１１Ｃと、前述した転写部材１４１Ｃと、露光装置１７Ｃと、電源ユニット１８Ｃとを有している。同様に、画像形成部１０Ｍは、イメージドラムユニット１１Ｍと、前述した転写部材１４１Ｍと、露光装置１７Ｍと、電源ユニット１８Ｍとを有している。画像形成部１０Ｙは、イメージドラムユニット１１Ｙと、前述した転写部材１４１Ｙと、露光装置１７Ｙと、電源ユニット１８Ｙとを有している。画像形成部１０Ｋは、イメージドラムユニット１１Ｋと、前述した転写部材１４１Ｋと、露光装置１７Ｋと、電源ユニット１８Ｋとを有している。画像形成部１０Ｗは、イメージドラムユニット１１Ｗと、前述した転写部材１４１Ｗと、露光装置１７Ｗと、電源ユニット１８Ｗとを有している。
【００４０】
イメージドラムユニット１１Ｃ，１１Ｍ，１１Ｙ，１１Ｋ，１１Ｗはそれぞれ、図２に示したように、感光ドラム１１１、帯電ローラ１１２、現像ローラ１１３、供給ローラ１１４、トナー規制部材１１５およびクリーニング部材１１６を有している。
【００４１】
感光ドラム１１１は、静電潜像を表面（表層部分）に担持する部材であり、感光体（例えば有機系感光体）を用いて構成されている。具体的には、感光ドラム１１１は、導電性支持体と、その外周（表面）を覆う光導電層とを有している。導電性支持体は、例えば、アルミニウムからなる金属パイプにより構成されている。光導電層は、例えば、電荷発生層および電荷輸送層を順に積層した構造を有している。このような感光ドラム１１１は、図２に示したように、所定の周速度Ｓｐ１で回転（この例では矢印で示したように、右回りで回転）するようになっている。なお、この感光ドラム１１１は、本発明における「像担持体」の一具体例に対応し、その周速度Ｓｐ１は、本発明における「像担持体の表面の移動速度」の一具体例に対応する。また、静電潜像は、本発明における「潜像」の一具体例に対応する。
【００４２】
帯電ローラ１１２は、感光ドラム１１１の表面（表層部分）を帯電させる部材（帯電部材）であり、感光ドラム１１１の表面（周面）に接するように配置されている。この帯電ローラ１１２は、例えば、金属シャフトと、その外周（表面）を覆う半導電性ゴム層（例えば、半導電性エピクロロヒドリンゴム層）とを有している。なお、この例では、図２中に矢印で示したように、帯電ローラ１１２は左回りで回転（感光ドラム１１１とは逆方向に回転）するようになっている。
【００４３】
現像ローラ１１３は、静電潜像を現像するトナーを表面に担持する部材であり、感光ドラム１１１の表面（周面）に接するように配置されている。この現像ローラ１１３は、例えば、金属シャフトと、その外周（表面）を覆う半導電性ウレタンゴム層とを有している。このような現像ローラ１１３は、図２に示したように、所定の周速度Ｓｐ３で回転（この例では矢印で示したように、感光ドラム１１１とは逆方向である左回りで回転）するようになっている。なお、この現像ローラ１１３は、本発明における「現像剤担持体」の一具体例に対応し、その周速度Ｓｐ３は、本発明における「現像剤担持体の表面の移動速度」の一具体例に対応する。
【００４４】
供給ローラ１１４は、現像ローラ１１３に対してトナーを供給するための部材（供給部材）であり、現像ローラ１１３の表面（周面）に接するように配置されている。この供給ローラ１１４は、例えば、金属シャフトと、その外周（表面）を覆う発泡性のシリコーンゴム層とを有している。なお、この例では、図２中に矢印で示したように、供給ローラ１１４は左回りで回転（現像ローラ１１３と同じ方向に回転）するようになっている。
【００４５】
トナー規制部材１１５は、現像ローラ１１３の表面に当接することで、この現像ローラ１１３の表面にトナーからなる層（トナー層）を形成させるとともに、そのトナー層の厚さを規制（制御，調整）する部材である。このトナー規制部材１１５は、例えば、ステンレス等からなる板状弾性部材（板ばね）であり、この板状弾性部材の先端部が現像ローラ１１３の表面にわずかに当接するように配置されている。なお、このトナー規制部材１１５は、本発明における「現像剤規制部材」の一具体例に対応し、上記したトナー層が、本発明における「現像剤の層」の一具体例に対応する。
【００４６】
クリーニング部材１１６は、感光ドラム１１１の表面（表層部分）に残留するトナーを掻き取ってクリーニングするための部材である。このクリーニング部材１１６は、感光ドラム１１１の表面に対してカウンタで当接する（感光ドラム１１１の回転方向に対して逆向きで突出する）ようにして配置されている。このようなクリーニング部材１１６は、例えば、ポリウレタンゴム等の弾性体により構成されている。
【００４７】
図２に示した露光装置１７Ｃ，１７Ｍ，１７Ｙ，１７Ｋ，１７Ｗはそれぞれ、図２に示したように、照射光Ｌを感光ドラム１１１の表面に照射して露光することにより、この感光ドラム１１１の表面（表層部分）に静電潜像を形成する装置である。各露光装置１７Ｃ，１７Ｍ，１７Ｙ，１７Ｋ，１７Ｗは、例えば、照射光Ｌを発する複数の光源と、この照射光Ｌを感光ドラム１１１の表面に結像させるレンズアレイとを含んで構成されている。なお、これらの各光源としては、例えば、発光ダイオード（ＬＥＤ：Light Emitting Diode）やレーザ素子等が挙げられる。
【００４８】
図２に示した電源ユニット１８Ｃ，１８Ｍ，１８Ｙ，１８Ｋ，１８Ｗはそれぞれ、転写部材用電源１８０、帯電ローラ用電源１８２、現像ローラ用電源１８３、供給ローラ用電源１８４およびトナー規制部材用電源１８５を有している。
【００４９】
転写部材用電源１８０は、図２に示したように、転写部材１４１Ｃ，１４１Ｍ，１４１Ｙ，１４１Ｋ，１４１Ｗに対して電圧（印加電圧Ｖａ０）を印加する電源である。この印加電圧Ｖａ０は、例えば、各色のトナー（例えば負極性。以下同様。）に対して逆極性（例えば正極性）のバイアスからなる電圧である。ただし、同極性（例えば負極性）のバイアスからなる電圧であってもよい。
【００５０】
帯電ローラ用電源１８２は、図２に示したように、帯電ローラ１１２に対して電圧（印加電圧Ｖａ２）を印加する電源である。この印加電圧Ｖａ２は、例えば、各色のトナーに対して同極性（例えば負極性）のバイアスからなる電圧である。
【００５１】
現像ローラ用電源１８３は、図２に示したように、現像ローラ１１３に対して電圧（印加電圧Ｖａ３）を印加する電源である。この印加電圧Ｖａ３は、例えば、各色のトナーに対して同極性（例えば負極性）のバイアスからなる電圧である。ただし、逆極性（例えば正極性）のバイアスからなる電圧であってもよい。ここで、この現像ローラ用電源１８３は、本発明における「第２の電源部」の一具体例に対応する。また、印加電圧Ｖａ３は、本発明における「現像剤担持体への印加電圧」の一具体例に対応する。
【００５２】
供給ローラ用電源１８４は、図２に示したように、供給ローラ１１４に対して電圧（印加電圧Ｖａ４）を印加する電源である。この印加電圧Ｖａ４は、例えば、各色のトナーに対して同極性（例えば負極性）のバイアスからなる電圧である。ただし、逆極性（例えば正極性）のバイアスからなる電圧であってもよい。
【００５３】
トナー規制部材用電源１８５は、図２に示したように、トナー規制部材１１５に対して電圧（印加電圧Ｖａ５）を印加する電源である。この印加電圧Ｖａ５は、各色のトナーに対して同極性（例えば負極性）のバイアスからなる電圧である。ただし、逆極性（例えば正極性）のバイアスからなる電圧であってもよい。ここで、このトナー規制部材用電源１８５は、本発明における「電源部」および「第１の電源部」の一具体例に対応する。また、印加電圧Ｖａ５は、本発明における「現像剤規制部材への印加電圧」の一具体例に対応する。
【００５４】
なお、ここで言う「同極性」および「逆極性」とは、厳密な意味での正極性や負極性のことを意味するのではなく、各印加電圧の値同士での相対的な大小関係により規定されるものを意味している。
【００５５】
（制御部１９）
図２に示した制御部１９は、各画像形成部１０Ｃ，１０Ｍ，１０Ｙ，１０Ｋ，１０Ｗの動作を、静的あるいは動的に制御（設定，調整）するものである。具体的には、図２に示したように、制御部１９は、画像形成部１０Ｃ，１０Ｍ，１０Ｙ，１０Ｋ，１０Ｗ内におけるイメージドラムユニット１１Ｃ，１１Ｍ，１１Ｙ，１１Ｋ，１１Ｗの動作と、電源ユニット１８Ｃ，１８Ｍ，１８Ｙ，１８Ｋ，１８Ｗの動作とをそれぞれ制御する。
【００５６】
より具体的には、制御部１９は、各イメージドラムユニット１１Ｃ，１１Ｍ，１１Ｙ，１１Ｋ，１１Ｗ内において、感光ドラム１１１、帯電ローラ１１２、現像ローラ１１３、供給ローラ１１４、トナー規制部材１１５およびクリーニング部材１１６の各動作（例えば、以下説明する周速度や、周速度同士の比など）を制御する。また、制御部１９は、各電源ユニット１８Ｃ，１８Ｍ，１８Ｙ，１８Ｋ，１８Ｗ内において、転写部材用電源１８０、帯電ローラ用電源１８２、現像ローラ用電源１８３、供給ローラ用電源１８４およびトナー規制部材用電源１８５の各動作（例えば、以下説明する電圧の絶対値など）を制御する。このような制御部は、例えば、ＣＰＵ（Central Processing Unit）やＲＯＭ（Read Only Memory），ＲＡＭ（Random Access Memory）等を用いたマイクロコンピューターと、モータ等の駆動機構とを含んで構成されている。
【００５７】
図４は、このような制御部１９による、各画像形成部１０Ｃ，１０Ｍ，１０Ｙ，１０Ｋ，１０Ｗにおける各種パラメータの制御例（設定例）を、表で表したものである。また、図５は、図４に示した各種パラメータの数値例を表で表したものである。なお、後述する図６〜図１４に示した実施例（数値例）はそれぞれ、この図５に示した各種パラメータを用いた実施例に対応している。
【００５８】
ここで、図４および図５に示したように、制御部１９により制御（設定）される各種パラメータは、この例では、以下（１）〜（５）に示したパラメータである。また、（１）〜（５）に示した各パラメータにおいて、画像形成部１０Ｗにおける値と、各画像形成部１０Ｃ，１０Ｍ，１０Ｙ，１０Ｋにおける値とをそれぞれ、以下のように表記して定義する。
【００５９】
（１）現像ローラ１１３への印加電圧Ｖａ３の絶対値｜Ｖａ３｜
・画像形成部１０Ｗにおける絶対値｜Ｖａ３｜……｜Ｖａ３（Ｗ）｜
・各画像形成部１０Ｃ，１０Ｍ，１０Ｙ，１０Ｋにおける絶対値｜Ｖａ３｜……｜Ｖａ３（Ｃ，Ｍ，Ｙ，Ｋ）｜
【００６０】
（２）現像ローラ１１３の周速度Ｓｐ３
・画像形成部１０Ｗにおける周速度Ｓｐ３…Ｓｐ３（Ｗ）
・各画像形成部１０Ｃ，１０Ｍ，１０Ｙ，１０Ｋにおける周速度Ｓｐ３…Ｓｐ３（Ｃ，Ｍ，Ｙ，Ｋ）
【００６１】
（３）感光ドラム１１１の周速度Ｓｐ１
・画像形成部１０Ｗにおける周速度Ｓｐ１…Ｓｐ１（Ｗ）
・各画像形成部１０Ｃ，１０Ｍ，１０Ｙ，１０Ｋにおける周速度Ｓｐ１…Ｓｐ１（Ｃ，Ｍ，Ｙ，Ｋ）
【００６２】
（４）周速度Ｓｐ１に対する周速度Ｓｐ３の比（周速度比Ｒｐ＝Ｓｐ３／Ｓｐ１）
・画像形成部１０Ｗにおける周速度比Ｒｐ…周速度比Ｒｐ（Ｗ）（＝Ｓｐ３（Ｗ）／Ｓｐ１（Ｗ））
・各画像形成部１０Ｃ，１０Ｍ，１０Ｙ，１０Ｋにおける周速度比Ｒｐ…周速度比Ｒｐ（Ｃ，Ｍ，Ｙ，Ｋ）（＝Ｓｐ３（Ｃ，Ｍ，Ｙ，Ｋ）／Ｓｐ１（Ｃ，Ｍ，Ｙ，Ｋ））
【００６３】
（５）トナー規制部材１１５への印加電圧Ｖａ５の絶対値｜Ｖａ５｜
・画像形成部１０Ｗにおける絶対値｜Ｖａ５｜……｜Ｖａ５（Ｗ）｜
・各画像形成部１０Ｃ，１０Ｍ，１０Ｙ，１０Ｋにおける絶対値｜Ｖａ５｜……｜Ｖａ５（Ｃ，Ｍ，Ｙ，Ｋ）｜
【００６４】
なお、上記（１）で示した｜Ｖａ３（Ｗ）｜は、本発明における「第１の画像形成部における現像剤担持体への印加電圧の絶対値」に対応し、｜Ｖａ３（Ｃ，Ｍ，Ｙ，Ｋ）｜は、本発明における「第２の画像形成部における現像剤担持体への印加電圧の絶対値」の一具体例に対応する。
【００６５】
また、上記（２）で示した周速度Ｓｐ３（Ｗ）は、本発明における「第１の速度」の一具体例に対応し、周速度Ｓｐ３（Ｃ，Ｍ，Ｙ，Ｋ）は、本発明における「第２の速度」の一具体例に対応する。
【００６６】
上記（４）で示した周速度比Ｒｐ（Ｗ）は、本発明における「第１の速度比」の一具体例に対応し、周速度比Ｒｐ（Ｃ，Ｍ，Ｙ，Ｋ）は、本発明における「第２の速度比」の一具体例に対応する。
【００６７】
上記（５）で示した｜Ｖａ５（Ｗ）｜は、本発明における「第１の電圧値」に対応し、｜Ｖａ５（Ｃ，Ｍ，Ｙ，Ｋ）｜は、本発明における「第２の電圧値」の一具体例に対応する。
【００６８】
ここで本実施の形態では、制御部１９は、図４および図５等に示したように、上記（１）〜（５）で示した各パラメータに関して、以下のように制御を行う。
【００６９】
（１）絶対値｜Ｖａ３｜の制御について
まず、制御部１９は、図４に示したように、｜Ｖａ３（Ｗ）｜と｜Ｖａ３（Ｃ，Ｍ，Ｙ，Ｋ）｜とが互いに略等しくなるように（以下の（１ａ）式を満たすように）、各電源ユニット１８Ｃ，１８Ｍ，１８Ｙ，１８Ｋ，１８Ｗにおける現像ローラ用電源１８３を制御する。また、望ましくは、図５に示したように、｜Ｖａ３（Ｗ）｜と｜Ｖａ３（Ｃ，Ｍ，Ｙ，Ｋ）｜とが互いに等しくなるように（以下の（１ｂ）式を満たすように）、各現像ローラ用電源１８３を制御する。あるいは、制御部１９は、図４に示したように、｜Ｖａ３（Ｗ）｜が｜Ｖａ３（Ｃ，Ｍ，Ｙ，Ｋ）｜よりも小さくなるように（以下の（１ｃ）式を満たすように）、各現像ローラ用電源１８３を制御する。
｜Ｖａ３（Ｗ）｜≒｜Ｖａ３（Ｃ，Ｍ，Ｙ，Ｋ）｜……（１ａ）
｜Ｖａ３（Ｗ）｜＝｜Ｖａ３（Ｃ，Ｍ，Ｙ，Ｋ）｜……（１ｂ）
｜Ｖａ３（Ｗ）｜＜｜Ｖａ３（Ｃ，Ｍ，Ｙ，Ｋ）｜……（１ｃ）
【００７０】
（２）周速度Ｓｐ３の制御について
また、制御部１９は、図４および図５に示したように、周速度Ｓｐ３（Ｗ）と周速度Ｓｐ３（Ｃ，Ｍ，Ｙ，Ｋ）とが互いに異なることとなるように（以下の（２ａ）式を満たすように）、各イメージドラムユニット１１Ｃ，１１Ｍ，１１Ｙ，１１Ｋ，１１Ｗを制御する。また、望ましくは、図４および図５に示したように、周速度Ｓｐ３（Ｗ）が周速度Ｓｐ３（Ｃ，Ｍ，Ｙ，Ｋ）よりも大きくなるように（以下の（２ｂ）式を満たすように）、各イメージドラムユニット１１Ｃ，１１Ｍ，１１Ｙ，１１Ｋ，１１Ｗを制御する。あるいは、制御部１９は、後述する図９に示すように、周速度Ｓｐ３（Ｗ）が３１０［ｍｍ／ｓ］以上かつ３８０［ｍｍ／ｓ］以下の範囲内となるように（以下の（２ｃ）式を満たすように）、イメージドラムユニット１１Ｗを制御する。
Ｓｐ３（Ｗ）≠Ｓｐ３（Ｃ，Ｍ，Ｙ，Ｋ）……（２ａ）
Ｓｐ３（Ｗ）＞Ｓｐ３（Ｃ，Ｍ，Ｙ，Ｋ）……（２ｂ）
３１０≦Ｓｐ３（Ｗ）≦３８０          ……（２ｃ）
【００７１】
（３）周速度Ｓｐ１の制御について
更に、制御部１９は、周速度Ｓｐ１（Ｗ）と周速度Ｓｐ１（Ｃ，Ｍ，Ｙ，Ｋ）とが互いに略等しくなるように（以下の（３ａ）式を満たすように）、各イメージドラムユニット１１Ｃ，１１Ｍ，１１Ｙ，１１Ｋ，１１Ｗを制御する。また、望ましくは、図４および図５に示したように、周速度Ｓｐ１（Ｗ）と周速度Ｓｐ１（Ｃ，Ｍ，Ｙ，Ｋ）とが互いに等しくなるように（以下の（３ｂ）式を満たすように）、各イメージドラムユニット１１Ｃ，１１Ｍ，１１Ｙ，１１Ｋ，１１Ｗを制御する。
Ｓｐ１（Ｗ）≒Ｓｐ１（Ｃ，Ｍ，Ｙ，Ｋ）……（３ａ）
Ｓｐ１（Ｗ）＝Ｓｐ１（Ｃ，Ｍ，Ｙ，Ｋ）……（３ｂ）
【００７２】
（４）周速度比Ｒｐ（＝Ｓｐ３／Ｓｐ１）の制御について
加えて、制御部１９は、図４および図５に示したように、周速度比Ｒｐ（Ｗ）と周速度比Ｒｐ（Ｃ，Ｍ，Ｙ，Ｋ）とが互いに異なることとなるように（以下の（４ａ）式を満たすように）、各イメージドラムユニット１１Ｃ，１１Ｍ，１１Ｙ，１１Ｋ，１１Ｗを制御する。また、望ましくは、図４および図５に示したように、周速度比Ｒｐ（Ｗ）が周速度比Ｒｐ（Ｃ，Ｍ，Ｙ，Ｋ）よりも大きくなるように（以下の（４ｂ）式を満たすように）、各イメージドラムユニット１１Ｃ，１１Ｍ，１１Ｙ，１１Ｋ，１１Ｗを制御する。あるいは、制御部１９は、後述する図１０に示すように、周速度比Ｒｐ（Ｗ）が１．３５以上かつ１．６５以下の範囲内となるように（以下の（４ｃ）式を満たすように）、イメージドラムユニット１１Ｗを制御する。
Ｒｐ（Ｗ）≠Ｒｐ（Ｃ，Ｍ，Ｙ，Ｋ）……（４ａ）
Ｒｐ（Ｗ）＞Ｒｐ（Ｃ，Ｍ，Ｙ，Ｋ）……（４ｂ）
１．３５≦Ｒｐ（Ｗ）≦１．６５    ……（４ｃ）
【００７３】
（５）絶対値｜Ｖａ５｜の制御について
また、制御部１９は、図４および図５に示したように、｜Ｖａ５（Ｗ）｜と｜Ｖａ５（Ｃ，Ｍ，Ｙ，Ｋ）｜とが互いに異なることとなるように（以下の（５ａ）式を満たすように）、各電源ユニット１８Ｃ，１８Ｍ，１８Ｙ，１８Ｋ，１８Ｗにおけるトナー規制部材用電源１８５を制御する。また、望ましくは、図４および図５に示したように、｜Ｖａ５（Ｗ）｜が｜Ｖａ５（Ｃ，Ｍ，Ｙ，Ｋ）｜よりも小さくなるように（以下の（５ｂ）式を満たすように）、各トナー規制部材用電源１８５を制御する。
｜Ｖａ５（Ｗ）｜≠｜Ｖａ５（Ｃ，Ｍ，Ｙ，Ｋ）｜……（５ａ）
｜Ｖａ５（Ｗ）｜＜｜Ｖａ５（Ｃ，Ｍ，Ｙ，Ｋ）｜……（５ｂ）
【００７４】
［作用・効果］
（Ａ．基本動作）
この画像形成装置１では、以下のようにして、記録媒体９に対して画像（画像層２１およびその下地層２０ａ）が形成される。
【００７５】
すなわち、図１に示したように、まず、給紙トレイ１２１に収納されている記録媒体９が、ホッピングローラ１２２によって最上部から１枚ずつ取り出され、搬送ローラ１３ａ，１３ｂの方向へ繰り出される。次いで、ホッピングローラ１２２から繰り出された記録媒体９は、搬送ローラ１３ａ，１３ｂによってその斜行が矯正された後、転写ベルトユニット１４側へと搬送される。このようにして搬送された記録媒体９は、転写ベルトユニット１４によって、搬送方向ｄに沿って搬送されつつ、以下のようにして各イメージドラムユニット１１Ｃ，１１Ｍ，１１Ｙ，１１Ｋ，１１Ｗにおいて形成されるトナー像が、この搬送方向ｄに沿って記録媒体９上に順次転写される。
【００７６】
ここで、これらのイメージドラムユニット１１Ｃ，１１Ｍ，１１Ｙ，１１Ｋ，１１Ｗを含む画像形成部１０Ｃ，１０Ｍ，１０Ｙ，１０Ｋ，１０Ｗではそれぞれ、以下の電子写真プロセスによって、各色のトナー像が形成される。
【００７７】
すなわち、図２に示したように、まず、感光ドラム１１１は、帯電ローラ用電源１８２から印加電圧Ｖａ２が供給される帯電ローラ１２２によって、その表面（表層部分）が一様に帯電させられる。次いで、この感光ドラム１１１の表面に向けて露光装置１７Ｃ，１７Ｍ，１７Ｙ，１７Ｋ，１７Ｗから照射光Ｌが照射されて露光されることで、印刷パターンに応じた静電潜像が感光ドラム１１１上に形成される。
【００７８】
一方、供給ローラ用電源１８４から印加電圧Ｖａ４が供給される供給ローラ１１４は、現像ローラ用電源１８３から印加電圧Ｖａ３が供給される現像ローラ１１３と当接し、供給ローラ１１４および現像ローラ１１３はそれぞれ、所定の周速度にて回転する。これにより、現像ローラ１１３の表面に、供給ローラ１１４からトナーが供給される。
【００７９】
続いて、現像ローラ１１３上のトナーは、この現像ローラ１１３に当接しているトナー規制部材１１５との摩擦等により帯電される。ここで、現像ローラ１１３上のトナー層の厚は、現像ローラ１１３への印加電圧Ｖａ３、供給ローラ１１４への印加電圧Ｖａ４、およびトナー規制部材１１５の押し圧力（トナー規制部材１１５への印加電圧Ｖａ５）等により定まる。
【００８０】
また、現像ローラ１１３は感光ドラム１１１に当接しているため、この現像ローラ１１３に対して現像ローラ用電源１８３から印加電圧Ｖａ３が供給されることで、感光ドラム１１１上の静電潜像に対して、現像ローラ１１３からトナーが付着される。
【００８１】
その後、この感光ドラム１１１上のトナー（トナー像）は、転写部材１４１Ｃ，１４１Ｍ，１４１Ｙ，１４１Ｋ，１４１Ｗとの間の電界によって、記録媒体９上に転写される。なお、この感光ドラム１１１の表面に残留したトナーは、クリーニング部材１１６によって掻き取られることで、クリーニングされる。
【００８２】
このようにして、各画像形成部１０Ｃ，１０Ｍ，１０Ｙ，１０Ｋ，１０Ｗにおいて各色のトナー像が形成され、前述した搬送方向ｄに沿って記録媒体９上に順次転写される。
【００８３】
具体的には、図１に示したように、まず画像形成部１０Ｗでは、例えば図３に模式的に示したように、白色トナーを用いて、画像層２１に対する下地層２０ａが形成される。その後、各画像形成部１０Ｃ，１０Ｍ，１０Ｙ，１０Ｋでは、対応する各色のトナー（シアントナー、マゼンダトナー、イエロートナーおよびブラックトナー）を用いて、各色のトナー像からなる層である画像層２１が形成される。
【００８４】
このようにして画像形成装置１では、白色トナーを用いて画像層２１（カラートナー像）に対する下地層２１ａ（白色トナー像）を形成することで、以下の効果が得られる。すなわち、例えば、記録媒体９が色味を有したり透明素材からなる場合であっても、下地層２１ａによってその記録媒体９の地色の影響が低減され、発色性を向上させることが可能となる。
【００８５】
なお、その後は図１に示したように、定着ユニット１５によって、転写ベルトユニット１４から搬送された記録媒体９上のトナー（トナー像）が、熱および圧力が付与されることで定着させられる。そして、排出ローラ１６によって、トナーが定着された記録媒体９が画像形成装置１の外部へ排出される。
【００８６】
（Ｂ．白色トナーの濃度およびその濃度むらの抑制について）
ここで、白色トナーでは一般に、他の色の各トナー（シアントナー、マゼンダトナー、イエロートナーおよびブラックトナー）と比べ、同じ電圧が印加された条件下であっても、帯電量（絶対値）が低くなる傾向にある。これは、前述したように、白色トナー用の着色剤としては酸化チタンや酸化亜鉛等の金属酸化物が用いられていることに起因する。すなわち、金属酸化物であることから電荷が逃げ易いため、他の色のトナーと比べて帯電量の絶対値が低くなってしまうのである。
【００８７】
ここで、各色のトナーの帯電量の数値例は、例えば以下の通りである。
・シアントナー    ……  −４９（μＣ／ｇ）
・マゼンダトナー  ……  −４７（μＣ／ｇ）
・イエロートナー  ……  −４９（μＣ／ｇ）
・ブラックトナー  ……  −５１（μＣ／ｇ）
・白色トナー      ……  −２４（μＣ／ｇ）
【００８８】
なお、このような各色のトナーの帯電量を測定する際の測定手法および条件はそれぞれ、例えば以下の通りである。
・トナー０．３ｇを採取してキャリア９．７ｇと混合し、窒素ガス流にて１０分間撹拌する。
・撹拌後のトナー混合物から４００メッシュを用いてキャリアを分離し、ＥＰＰＩＮＧ社製のｑ／ｍメーターを用いて、トナーの帯電量を測定する。
【００８９】
また一方で、前述したように画像形成装置１では、このような白色トナーを用いて、画像層２１に対する下地層２０ａが形成される。このため、白色トナーのトナー像（下地層２０ａ）の形成領域は、他の色の各トナー像と比べて相対的に広くなる傾向にあり、高濃度であることが求められる。つまり、白色トナーの帯電量自体が低くて濃度が出にくいにも関わらず、この白色トナーを用いたトナー像（下地層２０ａ）では、高濃度が求められるのである。
【００９０】
そこで本実施の形態の画像形成装置１では、各画像形成部１０Ｃ，１０Ｍ，１０Ｙ，１０Ｋ，１０Ｗにおいて、例えば前述の（１）〜（５）で示した各種パラメータを一律に同じ（共通の）値とするのではなく、以下のように制御（設定）している。すなわち、以下詳述するように、白色トナーを用いる画像形成部１０Ｗでの各種パラメータの値が、他の各色のトナーを用いる画像形成部１０Ｃ，１０Ｍ，１０Ｙ，１０Ｋでの各種パラメータの値とは異なることとなる（相対的に大きく、あるいは小さくなる）ように、制御している。
【００９１】
まず、例えば図６に示したように、記録媒体９上でのトナーの濃度は、現像ローラ１１３への印加電圧Ｖａ３の絶対値（｜Ｖａ３｜）に大きく影響される。具体的には、この印加電圧Ｖａ３の絶対値｜Ｖａ３｜が大きくなるのに従って、このトナーの濃度も大きくなる（高濃度になる）。ところが、上記したように、記録媒体９上での白色トナーの濃度を大きくする（高濃度にする）ために、画像形成部１０Ｗにおいて、印加電圧Ｖａ３の絶対値｜Ｖａ３｜を他の画像形成部１０Ｃ，１０Ｍ，１０Ｙ，１０Ｋと比べて大きくすると、以下の問題が生じ得る。
【００９２】
すなわち、例えば図７に示したように、記録媒体９上の印刷領域の最下流部において、トナーの濃度のむら（濃度むら）が発生してしまうおそれがある。具体的には、この例では、この最下流部（約０．５ｍｍの幅の部分）におけるトナーの濃度が、印刷領域内における他の領域部分と比べて相対的に大きくなり、濃度差ΔＤによる濃度むらが生じている。
【００９３】
更に、例えば図８に示したように、このような濃度差ΔＤ（濃度むらの大きさ）は、上記した、現像ローラ１１３への印加電圧Ｖａ３の絶対値｜Ｖａ３｜に大きく影響される。具体的には、この印加電圧Ｖａ３の絶対値｜Ｖａ３｜が大きくなるのに従って、この濃度差ΔＤも大きくなる。
【００９４】
このようにして、画像形成部１０Ｗでは、現像ローラ１１３への印加電圧Ｖａ３の絶対値｜Ｖａ３｜を大きくすると、記録媒体９上での白色トナーの濃度を確保できる（高濃度を実現する）ものの、濃度差ΔＤによる濃度むらが大きくなってしまう。一方で、逆に、この印加電圧Ｖａ３の絶対値｜Ｖａ３｜を小さくすると、濃度差ΔＤによる濃度むらが抑えられるものの、記録媒体９上での白色トナーの濃度を確保できなくなってしまう（高濃度を実現できなくなってしまう）。つまり、この手法では、白色トナーの濃度の確保と濃度むらの抑制とを両立するのは困難であると言える。
【００９５】
これらのことから、本実施の形態では、記録媒体９上でのトナーの濃度を、現像ローラ１１３への印加電圧Ｖａ３の絶対値｜Ｖａ３｜によって確保する手法は、以下説明するように、採用していない。
【００９６】
すなわち、本実施の形態ではまず、前述の図４に示したように、制御部１９は、｜Ｖａ３（Ｗ）｜と｜Ｖａ３（Ｃ，Ｍ，Ｙ，Ｋ）｜とが互いに略等しくなるように（前述の（１ａ）式を満たすように）、各電源ユニット１８Ｃ，１８Ｍ，１８Ｙ，１８Ｋ，１８Ｗにおける現像ローラ用電源１８３を制御する。また、望ましくは、制御部１９は、｜Ｖａ３（Ｗ）｜と｜Ｖａ３（Ｃ，Ｍ，Ｙ，Ｋ）｜とが互いに等しくなるように（前述の（１ｂ）式を満たすように）、各現像ローラ用電源１８３を制御する。あるいは、制御部１９は、｜Ｖａ３（Ｗ）｜が｜Ｖａ３（Ｃ，Ｍ，Ｙ，Ｋ）｜よりも小さくなるように（前述の（１ｃ）式を満たすように）、各現像ローラ用電源１８３を制御する。なお、一例としては、図８中に示した範囲ΔＶａ３内（１５０〜２００Ｖ程度の絶対値の範囲内）に、｜Ｖａ３（Ｗ）｜および｜Ｖａ３（Ｃ，Ｍ，Ｙ，Ｋ）｜の絶対値を設定するようにする。
【００９７】
これにより、まず、各画像形成部１０Ｃ，１０Ｍ，１０Ｙ，１０Ｋ，１０Ｗ（特に画像形成部１０Ｗ）において、上記したような印加電圧Ｖａ３の絶対値｜Ｖａ３｜の増大に起因した濃度むらの発生が、低減もしくは回避される（濃度むらがほとんど目立たなくなる）。
【００９８】
また、本実施の形態では、その代わりに、記録媒体９上でのトナーの濃度を、現像ローラ１１３の周速度Ｓｐ３、または、前述した周速度比Ｒｐ（＝現像ローラ１１３の周速度Ｓｐ３／感光ドラム１１１の周速度Ｓｐ１）によって確保する手法を採用している。
【００９９】
具体的には、制御部１９は、例えば前述の図４および図５に示したように、周速度Ｓｐ３（Ｗ）と周速度Ｓｐ３（Ｃ，Ｍ，Ｙ，Ｋ）とが互いに異なることとなるように（前述の（２ａ）式を満たすように）、各イメージドラムユニット１１Ｃ，１１Ｍ，１１Ｙ，１１Ｋ，１１Ｗを制御する。より具体的には、本実施の形態では、図４および図５に示したように、周速度Ｓｐ３（Ｗ）が周速度Ｓｐ３（Ｃ，Ｍ，Ｙ，Ｋ）よりも大きくなるように（前述の（２ｂ）式を満たすように）、各イメージドラムユニット１１Ｃ，１１Ｍ，１１Ｙ，１１Ｋ，１１Ｗを制御する。
【０１００】
あるいは、制御部１９は、例えば図９中の範囲ΔＳｐ３で示したように、周速度Ｓｐ３（Ｗ）が３１０［ｍｍ／ｓ］以上かつ３８０［ｍｍ／ｓ］以下の範囲内となるように（前述の（２ｃ）式を満たすように）、イメージドラムユニット１１Ｗを制御する。ここで、周速度Ｓｐ３（Ｗ）の下限値である３１０［ｍｍ／ｓ］の臨界的意義（この下限値未満が望ましくない理由）は、現像効率が低下してトナーの濃度（Ｌ値）が８２．３よりも小さくなってしまう、ということである。また、上限値である３８０［ｍｍ／ｓ］の臨界的意義（この上限値を超えると望ましくない理由）は、現像ローラ１１３上でのトナー電位の絶対値が増加して汚れが発生し易くなってしまう、ということである。
【０１０１】
また、制御部１９は、例えば図４および図５に示したように、周速度比Ｒｐ（Ｗ）と周速度比Ｒｐ（Ｃ，Ｍ，Ｙ，Ｋ）とが互いに異なることとなるように（前述の（４ａ）式を満たすように）、各イメージドラムユニット１１Ｃ，１１Ｍ，１１Ｙ，１１Ｋ，１１Ｗを制御する。より具体的には、本実施の形態では、図４および図５に示したように、周速度比Ｒｐ（Ｗ）が周速度比Ｒｐ（Ｃ，Ｍ，Ｙ，Ｋ）よりも大きくなるように（前述の（４ｂ）式を満たすように）、各イメージドラムユニット１１Ｃ，１１Ｍ，１１Ｙ，１１Ｋ，１１Ｗを制御する。
【０１０２】
あるいは、制御部１９は、例えば図１０中の範囲ΔＲｐで示したように、周速度比Ｒｐ（Ｗ）が１．３５以上かつ１．６５以下の範囲内となるように（前述の（４ｃ）式を満たすように）、イメージドラムユニット１１Ｗを制御する。ここで、周速度比Ｒｐ（Ｗ）の下限値である１．３５（≒（Ｓｐ３（Ｗ）：３１０）／（Ｓｐ１（Ｗ）：２３０））の臨界的意義（この下限値未満が望ましくない理由）は、現像効率が低下してトナーの濃度（Ｌ値）が８２．３よりも小さくなってしまう、ということである。また、上限値である１．６５（≒（Ｓｐ３（Ｗ）：３８０）／（Ｓｐ１（Ｗ）：２３０））の臨界的意義（この上限値を超えると望ましくない理由）は、現像ローラ１１３上でのトナー電位の絶対値が増加して汚れが発生し易くなってしまう、ということである。
【０１０３】
ちなみに、本実施の形態では、制御部１９は、例えば図４および図５に示したように、周速度Ｓｐ１（Ｗ）と周速度Ｓｐ１（Ｃ，Ｍ，Ｙ，Ｋ）とが互いに略等しくなるように（前述の（３ａ）式を満たすように）、各イメージドラムユニット１１Ｃ，１１Ｍ，１１Ｙ，１１Ｋ，１１Ｗを制御する。また、望ましくは、図４および図５に示したように、周速度Ｓｐ１（Ｗ）と周速度Ｓｐ１（Ｃ，Ｍ，Ｙ，Ｋ）とが互いに等しくなるように（前述の（３ｂ）式を満たすように）、各イメージドラムユニット１１Ｃ，１１Ｍ，１１Ｙ，１１Ｋ，１１Ｗを制御する。なお、このように、感光ドラム１１１の周速度Ｓｐ１については、各イメージドラムユニット１１Ｃ，１１Ｍ，１１Ｙ，１１Ｋ，１１Ｗで同じ（共通の）値に制御しているのは、例えば以下の理由によるものである。すなわち、感光ドラム１１１の周速度Ｓｐ１をイメージドラムユニット１１Ｃ，１１Ｍ，１１Ｙ，１１Ｋ，１１Ｗ間で異ならせてしまうと、例えば記録媒体９の搬送動作等に不具合が生じてしまうおそれがあるためである。
【０１０４】
このようにして本実施の形態では、制御部１９によって、各画像形成部１０Ｃ，１０Ｍ，１０Ｙ，１０Ｋ，１０Ｗにおける周速度Ｓｐ３または周速度比Ｒｐを上記のように制御することで、以下の効果が得られる。すなわち、現像ローラ１１３への印加電圧Ｖａ３の絶対値｜Ｖａ３｜を必要以上に大きくすることなく（値を抑えつつ）、記録媒体９上での白色トナーの濃度を確保することができる（高濃度を実現することができる）。つまり、白色トナーの濃度の確保と濃度むらの抑制とを両立することができるようになる。
【０１０５】
なお、本実施の形態では、前述の図４および図５に示したように、白色以外の他の色のトナーに対応する画像形成部１０Ｃ，１０Ｍ，１０Ｙ，１０Ｋではそれぞれ、前述した白色トナーの場合とは異なり、以下のようになっている。すなわち、これらの色の各トナーでは、白色トナーの場合とは異なり、現像ローラ１１３への印加電圧Ｖａ３の絶対値｜Ｖａ３｜を小さく抑えても十分な高濃度が確保することができる。このため、これらの画像形成部１０Ｃ，１０Ｍ，１０Ｙ，１０Ｋではそれぞれ、摩擦熱等によるトナーの材質劣化を抑制する観点から、周速度Ｓｐ３または周速度比Ｒｐが相対的に小さくなるように制御している。
【０１０６】
（Ｃ．周速度・周速度比の制御に起因した画質劣化の抑制について）
ただし、画像形成部１０Ｗにおいて、周速度Ｓｐ３または周速度比Ｒｐを必要以上に大きくすると、以下説明するように、それに起因した画質劣化の問題が生じ得る。
【０１０７】
具体的には、まず、例えば図１１および図１２中の矢印Ｐ１１，Ｐ１２で示したように、現像ローラ１１３の周速度Ｓｐ３が大きくなるのに従って、この現像ローラ１１３上でのトナー電位（絶対値）も大きくなる。そして、このような現像ローラ１１３上でのトナー電位の絶対値が大きくなると、例えばドット再現性の悪化や汚れ等の画質劣化の問題が生じ易くなってしまう。
【０１０８】
そこで本実施の形態では、トナー規制部材１１５への印加電圧Ｖａ５の絶対値｜Ｖａ５｜の大きさを制御することで、このような周速度Ｓｐ３または周速度比Ｒｐの増加に起因した画質劣化を抑制（低減もしくは回避）するようにしている。
【０１０９】
具体的には、制御部１９は、前述の図４および図５に示したように、｜Ｖａ５（Ｗ）｜と｜Ｖａ５（Ｃ，Ｍ，Ｙ，Ｋ）｜とが互いに異なることとなるように（前述の（５ａ）式を満たすように）、各電源ユニット１８Ｃ，１８Ｍ，１８Ｙ，１８Ｋ，１８Ｗにおけるトナー規制部材用電源１８５を制御する。より具体的には、本実施の形態では、図４および図５に示したように、｜Ｖａ５（Ｗ）｜が｜Ｖａ５（Ｃ，Ｍ，Ｙ，Ｋ）｜よりも小さくなるように（前述の（５ｂ）式を満たすように）、各トナー規制部材用電源１８５を制御する。
【０１１０】
このようにして本実施の形態では、制御部１９によって、各画像形成部１０Ｃ，１０Ｍ，１０Ｙ，１０Ｋ，１０Ｗにおけるトナー規制部材１１５への印加電圧Ｖａ５の絶対値｜Ｖａ５｜を上記のように制御することで、以下の効果が得られる。すなわち、画像形成部１０Ｗにおいて、現像ローラ１１３上での白色トナーのトナー電位の絶対値の増大が抑えられ、上記したような周速度Ｓｐ３または周速度比Ｒｐの増加に起因した画質劣化が抑制される（低減もしくは回避される）。
【０１１１】
具体的には、例えば図１３および図１４に示したように、画像形成部１０Ｗにおいて、前述した濃度むら抑制のために周速度Ｓｐ３または周速度比Ｒｐを増加させたとしても（矢印Ｐ２１，Ｐ３１参照）、以下のようになる。すなわち、トナー規制部材１１５への印加電圧Ｖａ５の絶対値｜Ｖａ５｜を小さくすることで、現像ローラ１１３上での白色トナーのトナー電位の絶対値の増大が抑えられる（矢印Ｐ２２，Ｐ３２参照）。したがって、前述した濃度むらを抑制しつつ、周速度Ｓｐ３または周速度比Ｒｐの増加に起因した画質劣化が抑制される（低減もしくは回避される）ことが分かる。
【０１１２】
（Ｄ．かぶりトナー量およびよごれトナー量との関係について）
ただし、トナー規制部材１１５への印加電圧Ｖａ５の絶対値｜Ｖａ５｜を小さく抑え過ぎると、例えば図１５に模式的に示したように（矢印Ｐ４参照）、感光ドラム１１１に形成される、いわゆる「かぶりトナー量」（かぶりトナーの量）が増加し、それに起因した画質劣化（いわゆる「かぶり」）が生じ易くなるという問題がある。
【０１１３】
ここで、正常に帯電したトナーに対して相対的に低い帯電量のトナーや、逆極性に帯電したトナーによって、画像の背景部、すなわち非画像部（非印刷領域）にトナーが付着してしまう現象を、「かぶり」と定義する。そして、このかぶりを引き起こす低い帯電量のトナーや逆極性に帯電したトナーを、上記した「かぶりトナー」と定義する。
【０１１４】
一方で、逆に、トナー規制部材１１５への印加電圧Ｖａ５の絶対値｜Ｖａ５｜を大きくし過ぎると、例えば同じく図１５に模式的に示したように、感光ドラム１１１に形成される、いわゆる「よごれトナー量」（よごれトナーの量）が増加し、それに起因した画質劣化（いわゆる「よごれ」）が生じ易くなるという問題がある。
【０１１５】
ここで、正常に帯電したトナーに対して相対的に高い帯電量のトナー、いわゆる過剰帯電トナーによって、上記した画像の背景部（非画像部，非印刷領域）にトナーが付着してしまう現象を、「よごれ」と定義する。そして、このよごれを引き起こす過剰帯電トナーを、上記した「よごれトナー」と定義する。
【０１１６】
これらのことから、このような「かぶり」や「よごれ」による画質劣化を抑えるため、トナー規制部材１１５への印加電圧Ｖａ５の絶対値｜Ｖａ５｜は、小さ過ぎたり大き過ぎることなく、ほどよい大きさの範囲に制御するのが望ましいと言える。
【０１１７】
以上のように本実施の形態では、制御部１９によって、前述の（１）〜（５）で示した各パラメータを、前述の図４等で示したように制御するようにしたので、例えば、白色トナーの濃度の確保と濃度むらの抑制とを両立することができるようになったり、周速度Ｓｐ３または周速度比Ｒｐの増加に起因した画質劣化が抑制されるようになる。よって、白色トナーを用いる画像形成装置１において、良好な画像を得る（画質を向上させる）ことが可能となる。
【０１１８】
なお、前述の図５に示した実施例（各種パラメータの数値例）では、画像形成部１０Ｗにおいて、まず、濃度むらを抑えることを最優先にして、現像ローラ１１３への印加電圧Ｖａ３（Ｗ）の絶対値｜Ｖａ３（Ｗ）｜を２００Ｖにして小さく設定している。また、それによる記録媒体９上での白色トナーの濃度低下は、周速度Ｓｐ３（Ｗ）や周速度比Ｒｐ（Ｗ）の値を大きくすることで補っている。また、周速度Ｓｐ３（Ｗ）や周速度比Ｒｐ（Ｗ）の値を大きくすることによる、現像ローラ１１３上での白色トナーのトナー電位の絶対値の増大（前述した画質劣化）は、トナー規制部材１１５への印加電圧Ｖａ５（Ｗ）の絶対値｜Ｖａ５（Ｗ）｜を小さく抑えることで抑制している。
【０１１９】
＜２．変形例＞
続いて、上記実施の形態の変形例（変形例１，２）について説明する。なお、実施の形態における構成要素と同一のものには同一の符号を付し、適宜説明を省略する。
【０１２０】
［変形例１］
図１６は、変形例１に係る制御部１９による、各画像形成部１０Ｃ，１０Ｍ，１０Ｙ，１０Ｋ，１０Ｗにおける各種パラメータの制御例（設定例）を、表で表したものである。ここでは、実施の形態における図４および図５と同様に、制御部１９により制御される各種パラメータとして、前述の（１）〜（５）に示したパラメータを例に挙げている。
【０１２１】
本変形例の制御部１９は、図１６に示したように、これら（１）〜（５）で示した各パラメータの一部に関して、上記実施の形態とは異なり、以下のようにして制御を行う。具体的には、制御部１９は、以下の（２），（４），（５）で示す各パラメータについて、上記実施の形態とは値の大小関係を逆に制御するようにしている。なお、それ以外の（１），（３）で示した各パラメータについては、本変形例の制御部１９においても、実施の形態と同じ制御を行っている。
【０１２２】
（２）周速度Ｓｐ３の制御について
まず、制御部１９は、図１６に示したように、実施の形態と同様に、周速度Ｓｐ３（Ｗ）と周速度Ｓｐ３（Ｃ，Ｍ，Ｙ，Ｋ）とが互いに異なることとなるように（前述の（２ａ）式を満たすように）、各イメージドラムユニット１１Ｃ，１１Ｍ，１１Ｙ，１１Ｋ，１１Ｗを制御する。ただし、本変形例では実施の形態とは異なり、制御部１９は、図１６に示したように、周速度Ｓｐ３（Ｗ）が周速度Ｓｐ３（Ｃ，Ｍ，Ｙ，Ｋ）よりも小さくなるように（以下の（２ｄ）式を満たすように）、各イメージドラムユニット１１Ｃ，１１Ｍ，１１Ｙ，１１Ｋ，１１Ｗを制御する。
Ｓｐ３（Ｗ）≠Ｓｐ３（Ｃ，Ｍ，Ｙ，Ｋ）……（２ａ）
Ｓｐ３（Ｗ）＜Ｓｐ３（Ｃ，Ｍ，Ｙ，Ｋ）……（２ｄ）
【０１２３】
本変形例においても、上記（２ａ）式を満たすように制御されることにより、上記実施の形態と同様の作用により同様の効果を得ることが可能となる。
【０１２４】
（４）周速度比Ｒｐ（＝Ｓｐ３／Ｓｐ１）の制御について
また、制御部１９は、図１６に示したように、実施の形態と同様に、周速度比Ｒｐ（Ｗ）と周速度比Ｒｐ（Ｃ，Ｍ，Ｙ，Ｋ）とが互いに異なることとなるように（前述の（４ａ）式を満たすように）、各イメージドラムユニット１１Ｃ，１１Ｍ，１１Ｙ，１１Ｋ，１１Ｗを制御する。ただし、本変形例では実施の形態とは異なり、制御部１９は、図１６に示したように、周速度比Ｒｐ（Ｗ）が周速度比Ｒｐ（Ｃ，Ｍ，Ｙ，Ｋ）よりも小さくなるように（以下の（４ｄ）式を満たすように）、各イメージドラムユニット１１Ｃ，１１Ｍ，１１Ｙ，１１Ｋ，１１Ｗを制御する。
Ｒｐ（Ｗ）≠Ｒｐ（Ｃ，Ｍ，Ｙ，Ｋ）……（４ａ）
Ｒｐ（Ｗ）＜Ｒｐ（Ｃ，Ｍ，Ｙ，Ｋ）……（４ｄ）
【０１２５】
本変形例においても、上記（４ａ）式を満たすように制御されることにより、上記実施の形態と同様の作用により同様の効果を得ることが可能となる。
【０１２６】
（５）絶対値｜Ｖａ５｜の制御について
更に、制御部１９は、図１６に示したように、実施の形態と同様に、｜Ｖａ５（Ｗ）｜と｜Ｖａ５（Ｃ，Ｍ，Ｙ，Ｋ）｜とが互いに異なることとなるように（前述の（５ａ）式を満たすように）、各電源ユニット１８Ｃ，１８Ｍ，１８Ｙ，１８Ｋ，１８Ｗにおけるトナー規制部材用電源１８５を制御する。ただし、本変形例では実施の形態とは異なり、制御部１９は、図１６に示したように、｜Ｖａ５（Ｗ）｜が｜Ｖａ５（Ｃ，Ｍ，Ｙ，Ｋ）｜よりも大きくなるように（以下の（５ｃ）式を満たすように）、各トナー規制部材用電源１８５を制御する。
｜Ｖａ５（Ｗ）｜≠｜Ｖａ５（Ｃ，Ｍ，Ｙ，Ｋ）｜……（５ａ）
｜Ｖａ５（Ｗ）｜＞｜Ｖａ５（Ｃ，Ｍ，Ｙ，Ｋ）｜……（５ｃ）
【０１２７】
本変形例においても、上記（５ａ）式を満たすように制御されることにより、上記実施の形態と同様の作用により同様の効果を得ることが可能となる。
【０１２８】
［変形例２］
図１７は、変形例２に係る画像形成装置（画像形成装置１Ａ）の概略構成例を模式的に表したものである。本変形例の画像形成装置１Ａは、図１および図２に示した実施の形態の画像形成装置１において、各画像形成部１０Ｃ，１０Ｍ，１０Ｙ，１０Ｋ，１０Ｗの配置順序を一部異ならせたものに対応し、他の構成は同様となっている。
【０１２９】
具体的には、この画像形成装置１Ａでは、図１７に示したように、各イメージドラムユニット１１Ｃ，１１Ｍ，１１Ｙ，１１Ｋ，１１Ｗが、記録媒体９の搬送方向ｄに沿って（上流側から下流側へ向かって）、イメージドラムユニット１１Ｋ，１１Ｙ，１１Ｍ，１１Ｃ，１１Ｗの順に並んで配置されている。
【０１３０】
また、これに伴い、本変形例の転写ベルトユニット４Ａも、実施の形態の転写ベルトユニット４において、転写部材１４１Ｃ，１４１Ｍ，１４１Ｙ，１４１Ｋ，１４１Ｗの配置順序を一部異ならせたものに対応している。具体的には、この転写ベルトユニット４Ａでは、図１７に示したように、各転写部材１４１Ｃ，１４１Ｍ，１４１Ｙ，１４１Ｋ，１４１Ｗが、記録媒体９の搬送方向ｄに沿って、転写部材１４１Ｋ，１４１Ｙ，１４１Ｍ，１４１Ｃ，１４１Ｗの順に並んで配置されている。
【０１３１】
このような配置構成の本変形例の画像形成装置１Ａにおいても、前述した各種のパラメータを実施の形態または上記変形例１と同様に設定（制御）することにより、基本的にはこれらと同様の作用により同様の効果を得ることが可能である。
【０１３２】
また、特に本変形例では、各画像形成部１０Ｃ，１０Ｍ，１０Ｙ，１０Ｋ，１０Ｗの配置順序を一部異ならせる（画像形成部１０Ｗを最も下流側に配置させる）ようにしたので、実施の形態および変形例１とは異なり、以下のような効果が得られる。
【０１３３】
すなわち、例えば図１８に模式的な断面図で示したように、本変形例の画像形成装置１Ａでは、白色トナーを用いる画像形成部１０Ｗによって、画像層２１に対するオーバーコート層２０ｂが形成される。このオーバーコート層２０ｂは、記録媒体９の直上に形成された画像層２１の上層に形成され、下地層２０ａと同様に補助層として機能する層である。具体的には、例えば、記録媒体９上から画像層２１を剥がした後、上下逆にして（オーバーコート層２０ｂを下地として）他の媒体に貼り付けるような場合（上下逆にしてシールとして貼り付ける用途等）に、この画像形成装置１Ａを適用することができる。したがって本変形例では、このような場合にも、実施の形態等と同様に、例えば色味を有したり透明素材からなる記録媒体９の地色の影響を低減し、発色性を向上させることが可能となる。
【０１３４】
なお、本変形例では、オーバーコート層２０ｂも下地層２０ａと同様に、白色からなる単色層（白色層）となっている。すなわち、このオーバーコート層２０ｂも、本発明における「補助層」、「単色層」および「白色層」の一具体例に対応している。
【０１３５】
＜３．その他の変形例＞
以上、実施の形態および変形例を挙げて本発明を説明したが、本発明はこれらの実施の形態等に限定されず、種々の変形が可能である。
【０１３６】
例えば、上記実施の形態等では、画像形成装置における各部材の構成（形状、配置、個数等）を具体的に挙げて説明したが、各部材におけるこれらの構成については、上記実施の形態等で説明したものには限られず、他の形状や配置、個数等であってもよい。また、上記実施の形態等で説明した各種パラメータの値や大小関係等についても、上記実施の形態等で説明したものには限られず、他の値や大小関係に制御するようにしてもよい。
【０１３７】
また、上記実施の形態等では、下地層２０ａおよびオーバーコート層２０ｂがいずれも、白色層からなる単色層である場合を例に挙げて説明したが、これには限られない。すなわち、例えば、下地層２０ａおよびオーバーコート層２０ｂがそれぞれ、白色層以外の単色層（例えば、メタル色層やクリーム色層など）であってもよい。なお、その場合、画像形成部１０Ｗ（イメージドラムユニット１１Ｗ）の代わりに、そのような白色以外の他の単色のトナー（単色現像剤）を用いる画像形成部（イメージドラムユニット）を、画像形成装置内に設けるようにすればよい。
【０１３８】
更に、上記実施の形態等では、本発明における「補助層」（画像層２１を形成する際の補助機能を有する層）の一具体例として、下地層２０ａおよびオーバーコート層２０ｂを挙げて説明したが、これには限られない。すなわち、このような下地層２０ａおよびオーバーコート層２０ｂ以外の層を、本発明における「補助層」として適用するようにしてもよい。
【０１３９】
加えて、上記実施の形態等では、画像層２１を形成する画像形成部（第２の画像形成部）が複数（画像形成部１０Ｃ，１０Ｍ，１０Ｙ，１０Ｋの４つ）設けられている場合を例に挙げて説明したが、これには限られない。すなわち、画像層２１を形成する画像形成部の数や、それらに用いるトナーの色の組み合わせ等については、用途や目的用に応じて任意に設定することが可能である。また、場合によっては、画像層２１を形成する画像形成部の数を１つだけにして、画像層２１をモノクロ（単色）画像としてもよい。つまり、画像形成装置をモノクロプリンタとして機能させるようにしてもよい。
【０１４０】
また、上記実施の形態等では、本発明における「像担持体」や「現像剤担持体」の「表面の移動速度」の一具体例として、感光ドラム１１１の周速度Ｓｐ１や現像ローラ１１３の周速度Ｓｐ３を例に挙げて説明したが、これには限られない。すなわち、ドラム状やローラ状の形状からなる担持体だけでなく、他の形状（例えばベルト形状等）からなる担持体についても、本発明を適用することが可能である。
【０１４１】
更に、上記実施の形態等では、本発明における「潜像」の一具体例として、静電潜像を挙げて説明したが、これには限られず、静電潜像以外の他の潜像を用いる場合においても、本発明を適用するようにしてもよい。
【０１４２】
加えて、上記実施の形態等では、本発明における「画像形成装置」の一具体例として、プリンタとして機能する画像形成装置を挙げて説明したが、これには限られない。すなわち、例えば、ファクシミリや複写機、複合機等として機能する画像形成装置についても、本発明を適用することが可能である。
【符号の説明】
【０１４３】
１，１Ａ…画像形成装置、１０Ｃ，１０Ｍ，１０Ｙ，１０Ｋ，１０Ｗ…画像形成部、１１Ｃ，１１Ｍ，１１Ｙ，１１Ｋ，１１Ｗ…イメージドラムユニット（画像形成ユニット）、１１１…感光ドラム、１１２…帯電ローラ、１１３…現像ローラ、１１４…供給ローラ、１１５…トナー規制部材、１１６…クリーニング部材、１２１…給紙トレイ、１２２…ホッピングローラ、１３ａ，１３ｂ…搬送ローラ、１４，１４Ａ…転写ベルトユニット、１４１Ｃ，１４１Ｍ，１４１Ｙ，１４１Ｋ，１４１Ｗ…転写部材、１４２…転写ベルト、１４３ａ，１４３ｂ…搬送ローラ、１５…定着ユニット、１５１…ヒートローラ、１５２…バックアップローラ、１６…排出ローラ、１７Ｃ，１７Ｍ，１７Ｙ，１７Ｋ，１７Ｗ…露光装置、１８Ｃ，１８Ｍ，１８Ｙ，１８Ｋ，１８Ｗ…電源ユニット、１８０…転写部材用電源、１８２…帯電ローラ用電源、１８３…現像ローラ用電源、１８４…供給ローラ用電源、１８５…トナー規制部材用電源、１９…制御部、２０ａ…下地層（白色層）、２０ｂ…オーバーコート層（白色層）、２１…画像層、９…記録媒体、Ｌ…照射光、Ｖａ０，Ｖａ２，Ｖａ３，Ｖａ４，Ｖａ５…印加電圧、Ｓｐ１，Ｓｐ１（Ｗ），Ｓｐ１（Ｃ，Ｍ，Ｙ，Ｋ），Ｓｐ３，Ｓｐ３（Ｗ），Ｓｐ３（Ｃ，Ｍ，Ｙ，Ｋ）…周速度、Ｒｐ，Ｒｐ（Ｗ），Ｒｐ（Ｃ，Ｍ，Ｙ，Ｋ）…周速度比、｜Ｖａ３｜，｜Ｖａ３（Ｗ）｜，｜Ｖａ３（Ｃ，Ｍ，Ｙ，Ｋ）｜，｜Ｖａ５｜，｜Ｖａ５（Ｗ）｜，｜Ｖａ５（Ｃ，Ｍ，Ｙ，Ｋ）｜…絶対値、ΔＳｐ３，ΔＲｐ，ΔＶａ３…範囲、ΔＤ…濃度差。
【図１】
2015210305.tif 000003
【図２】
2015210305.tif 000004
【図３】
2015210305.tif 000005
【図４】
2015210305.tif 000006
【図５】
2015210305.tif 000007
【図６】
2015210305.tif 000008
【図７】
2015210305.tif 000009
【図８】
2015210305.tif 000010
【図９】
2015210305.tif 000011
【図１０】
2015210305.tif 000012
【図１１】
2015210305.tif 000013
【図１２】
2015210305.tif 000014
【図１３】
2015210305.tif 000015
【図１４】
2015210305.tif 000016
【図１５】
2015210305.tif 000017
【図１６】
2015210305.tif 000018
【図１７】
2015210305.tif 000019
【図１８】
2015210305.tif 000020